(57)【要約】【課題】手摺態様または腕支持態様にした手摺本体をがたつきのない状態で確りと固定支持して使用時の安全性を向上できる手摺構造を提供する。【解決手段】板状の手摺本体２と、複数の手摺ブラケット２２を備えている。手摺本体２は使用者の手で握持されるグリップ面１０と、使用者の前腕部などを支持する腕支持面１１と、手摺ブラケット２２で支持される装着面１３を備えている。手摺ブラケット２２は、支柱１Ａに固定されるブラケットベース２３と、装着面１３に固定されるステー２４を備えている。ブラケットベース２３に設けた第１連結体４１と、ステー２４に設けた第２連結体４２と、ステー締結体４３で連結構造を構成する。第１、第２の連結体４１・４２は、手摺本体２のグリップ面１０が上向きになる手摺態様と、手摺本体２の腕支持面１１が上向きになる腕支持態様に連結姿勢を切換え可能である。【選択図】図１
2020007854.tif 000002
【特許請求の範囲】
【請求項１】
板状の手摺本体（２）と、取付け対象（１）に固定されて手摺本体（２）を支持する複数の手摺ブラケット（２２）とを備えており、
手摺本体（２）は、半円状に湾曲形成されて使用者の手で握持されるグリップ面（１０）と、面状に形成されて使用者の掌、前腕部などを支持する腕支持面（１１）と、手摺ブラケット（２２）で支持される装着面（１３）とを備えており、
手摺ブラケット（２２）は、取付け対象（１）に固定されるブラケットベース（２３）と、手摺本体（２）の装着面（１３）に固定されてブラケットベース（２３）に対して着脱されるステー（２４）とを備えており、
ブラケットベース（２３）とステー（２４）は連結構造を介して連結固定されており、
連結構造が、ブラケットベース（２３）に設けた第１連結体（４１）と、ステー（２４）に設けられて第１連結体（４１）に対して係脱される第２連結体（４２）と、ステー（２４）をブラケットベース（２３）に締結固定するステー締結体（４３）とを備えており、
第２連結体（４２）と第１連結体（４１）とが、手摺本体（２）のグリップ面（１０）が上向きになる手摺態様と、手摺本体（２）の腕支持面（１１）が上向きになる腕支持態様とに連結姿勢を切換えできるように構成されていることを特徴とする手摺構造。
【請求項２】
ブラケットベース（２３）が、取付け対象（１）の支柱（１Ａ）の周面に接合される接合リング（２６）および連結リング（２７）と、両リング（２６・２７）を締結固定するリング締結体（２８）とを備えており、
第１連結体（４１）は、断面が２等辺直角三角形状の凹部からなるソケット部（４４）と、ソケット部（４４）の開口縁に形成される固定接合座（４５）と、ソケット部（４４の内面に設けた固定係合体（４６）とを備えており、
第２連結体（４２）は、断面が２等辺直角三角形状の凸部からなるプラグ部（４９）と、プラグ部（４９）の基端周縁に形成される切換え接合座（４８）と、プラグ部（４９の外面に互いに直交する状態で形成されて、固定係合体（４６）に対して係脱する一対の切換え係合体（５１）とを備えている請求項１に記載の手摺構造。
【請求項３】
プラグ部（４９）の等辺部のそれぞれに雌ねじ体（５０）が埋設固定されており、
ステー締結体（４３）が、ソケット部（４４）の底壁から雌ねじ体（５０）にねじ込まれて、プラグ部（４９）がソケット部（４４）に分離不能に締結固定されている請求項２に記載の手摺構造。
【請求項４】
プラグ部（４９）の等辺部に隣接する切換え接合座（４８）に、等辺部と平行な一対の規制爪（５２）が突設されており、
ソケット部（４４）の固定接合座（４５）の上端に、規制爪（５２）と係合する規制溝（５３）が形成されており、
プラグ部（４９）をステー締結体（４３）でソケット部（４４）に締結固定した状態において、一方の規制爪（５２）が規制溝（５３）と係合している請求項２または３に記載の手摺構造。
【請求項５】
ステー（２４）が、手摺本体（２）の装着面（１３）に接合される締結座（３５）と、締結座（３５）の周囲を囲む周枠部（３６）とで、開口面（３７）を備えた中空枠体状に形成されており、
締結座（３５）は、前記開口面（３７）の側からねじ込み操作される調整ねじ体（５８）で、手摺本体（２）の装着面（１３）に締結固定されており、
前記開口面（３７）が着脱可能なカバー（３９）で塞がれている請求項２から４のいずれかひとつに記載の手摺構造。
【請求項６】
締結座（３５）に調整ねじ体（５８）に対して相対移動可能なねじ挿通溝（５６）が左右横長に形成されている請求項５に記載の手摺構造。
【請求項７】
隣接する手摺本体（２）のそれぞれが、隣接する支柱（１Ａ）に固定した一対の手摺ブラケット（２２）で支持されて、各手摺本体（２）の隣接端どうしが連結キャップ（６１）と橋絡体（６２）で連結されており、
連結キャップ（６１）は、手摺本体（２）の隣接端に外嵌するキャップ枠（６４）と、手摺本体（２）の隣接端を隔てる隔壁（６３）とを備えており、
連結キャップ（６１）と橋絡体（６２）には、互いに係合して連結キャップ（６１）と橋絡体（６２）の相対移動を阻止する凹凸係合体（６７・６８）が設けられており、
橋絡体（６２）は、連結キャップ（６１）の外面を左右に跨ぐ状態で、隣接する手摺本体（２）の装着面（１３）に接合されて、連結ボルト（６９）で装着面（１３）に締結固定されている請求項２から６のいずれかひとつに記載の手摺構造。
【請求項８】
隣接する手摺本体（２）のそれぞれが、隣接する支柱（１Ａ）に固定した一対の手摺ブラケット（２２）で支持されて、各手摺本体（２）の隣接端どうしが連結キャップ（６１）とステー（２４）で連結されており、
連結キャップ（６１）は、手摺本体（２）の隣接端に外嵌するキャップ枠（６４）と、手摺本体（２）の隣接端を隔てる隔壁（６３）とを備えており、
ステー（２４）の締結座（３５）に左右横長のねじ挿通溝（５６）が形成されており、
ねじ挿通溝（５６）に挿通した連結ボルト（６９）を装着面（１３）にねじ込んで、隣接する手摺本体（２）がステー（２４）で連結されている請求項６に記載の手摺構造。
【請求項９】
ブラケットベース（２３）が、取付け対象（１）である支柱（１Ａ）の周面の前後に接合される一対の連結リング（２７）と、これら両リング（２７）を締結固定するリング締結体（２８）とを備えており、
支柱（１Ａ）の前側の連結リング（２７）に設けた第１連結体（４１）に、前側のステー（２４）の第２連結体（４２）が連結固定され、支柱（１Ａ）の後側の連結リング（２７）に設けた第１連結体（４１）に、後側のステー（２４）の第２連結体（４２）が連結固定されており、
支柱（１Ａ）の前側の左右一対のステー（２４）に前側の手摺本体（２）が固定され、支柱（１Ａ）の後側の左右一対のステー（２４）に後側の手摺本体（２）が固定されている請求項１に記載の手摺構造。
【発明の詳細な説明】
【技術分野】
【０００１】
本発明は、板状の手摺本体を垂直の手摺態様と水平の腕支持態様に切換えることができる手摺構造に関する。
【背景技術】
【０００２】
本発明における手摺構造では、板状に形成された手摺本体を例えば隣接する支柱に対して垂直姿勢（板面が横を向く姿勢）と水平姿勢（板面が上を向く姿勢）とに装着できるが、この種の手摺構造は例えば特許文献１に開示されている。特許文献１の手摺は、断面がＰ字状のハンドレール部材と、ハンドレール部材を支持する一対のブラケット部材で構成される。ハンドレール部材は、断面が半円状の手摺面と、使用者の肘を支持する平坦な肘置き面を一体に備える。ブラケット部材は、壁面に固定される固定部と、ハンドレール部材に固定される回動部とを備えており、回動部を固定部で回動可能に支持することにより、ハンドレール部材の全体が垂直姿勢となって手摺面が上向きになる状態と、ハンドレール部材の全体が水平姿勢となって肘置き面が上向きになる状態とに切換えることができる。固定部と回動部の間には、ハンドレール部材を垂直姿勢と水平姿勢とで位置保持するための位置調整手段が設けられている。位置調整手段は、ばねおよびピンからなる付勢部材と、２個の可動栓と、固定部に設けた２個の貫通穴とを備えており、いずれか一方の可動栓が貫通穴と係合することにより、ハンドレール部材を垂直姿勢と水平姿勢に位置保持することができる。付勢部材は回動部の側に配置されている。
【先行技術文献】
【特許文献】
【０００３】
【特許文献１】特開２００６−１２４９９３号公報
【発明の概要】
【発明が解決しようとする課題】
【０００４】
特許文献１の手摺構造によれば、ハンドレール部材の姿勢を９０度変更することにより、手摺面が上向きになる状態と、肘置き面が上向きになる状態とに切換えることができる。しかし、回動部は固定部で回動自在に支持されており、片方の可動栓が貫通穴と係合することで各姿勢を位置保持している。そのため、いたずら等によって可動栓がばねの付勢力に抗して押込み操作された場合に、ハンドレール部材の姿勢が急激に変わるおそれがあり、安全性に問題がある。また、位置調整手段は１個の可動栓が貫通穴と係合することで、ハンドレール部材の姿勢を固定保持するので、使用者がハンドレール部材にもたれた場合に、可動栓に大きな傾動モーメントが集中して作用する。そのため、ハンドレール部材ががたつきやすく、とくに肘置き面が上向きになる状態において、安定した状態で使用者を支えることが難しい。さらに、固定部は部屋の周囲壁に固定する必要があるので、例えば部屋の中央に臨むベッド脇に手摺を設けたいような場合に対応できない。
【０００５】
本発明の目的は、手摺態様または腕支持態様にした手摺本体をがたつきのない状態で確りと固定支持して使用時の安全性を向上でき、さらに手摺本体を任意の設置場所に設置して、使用者の利便性を向上できる手摺構造を提供することにある。
【課題を解決するための手段】
【０００６】
本発明の手摺構造は、板状の手摺本体２と、取付け対象１に固定されて手摺本体２を支持する複数の手摺ブラケット２２とを備えている。図３に示すように手摺本体２は、半円状に湾曲形成されて使用者の手で握持されるグリップ面１０と、面状に形成されて使用者の掌、前腕部などを支持する腕支持面１１と、手摺ブラケット２２で支持される装着面１３とを備えている。図６に示すように手摺ブラケット２２は、取付け対象１に固定されるブラケットベース２３と、手摺本体２の装着面１３に固定されてブラケットベース２３に対して着脱されるステー２４とを備えている。ブラケットベース２３とステー２４は連結構造を介して連結固定されている。連結構造は、ブラケットベース２３に設けた第１連結体４１と、ステー２４に設けられて第１連結体４１に対して係脱される第２連結体４２と、ステー２４をブラケットベース２３に締結固定するステー締結体４３とを備えている。第２連結体４２と第１連結体４１とが、手摺本体２のグリップ面１０が上向きになる手摺態様（図３参照）と、手摺本体２の腕支持面１１が上向きになる腕支持態様（図１０参照）とに連結姿勢を切換えできるように構成されていることを特徴とする。
【０００７】
ブラケットベース２３は図６に示すように、取付け対象１の支柱１Ａの周面に接合される接合リング２６および連結リング２７と、これら両リング２６・２７を締結固定するリング締結体２８とを備えている。第１連結体４１は、断面が２等辺直角三角形状の凹部からなるソケット部４４と、ソケット部４４の開口縁に形成される固定接合座４５と、ソケット部４４の内面に設けた固定係合体４６とを備えている。第２連結体４２は、断面が２等辺直角三角形状の凸部からなるプラグ部４９と、プラグ部４９の基端周縁に形成される切換え接合座４８と、プラグ部４９の外面に互いに直交する状態で形成されて、固定係合体４６に対して係脱する一対の切換え係合体５１とを備えている。
【０００８】
プラグ部４９の等辺部のそれぞれに雌ねじ体５０が埋設固定されている（図１参照）。ステー締結体４３は、ソケット部４４の底壁から雌ねじ体５０にねじ込まれて、プラグ部４９がソケット部４４に分離不能に締結固定されている。
【０００９】
プラグ部４９の等辺部に連続する切換え接合座４８に、等辺部と平行な一対の規制爪５２が突設されている（図１参照）。ソケット部４４の固定接合座４５の上端に、前記規制爪５２と係合する規制溝５３が形成されている。プラグ部４９をステー締結体４３でソケット部４４に締結固定した状態において、一方の規制爪５２が規制溝５３と係合している。
【００１０】
ステー２４は、手摺本体２の装着面１３に接合される締結座３５と、締結座３５の周囲を囲む周枠部３６とで、開口面３７を備えた中空枠体状に形成されている（図６参照）。締結座３５は、開口面３７の側からねじ込み操作される調整ねじ体５８で、手摺本体２の装着面１３に締結固定されている。開口面３７は着脱可能なカバー３９で塞がれている。
【００１１】
締結座３５に調整ねじ体５８に対して相対移動可能なねじ挿通溝５６が左右横長に形成されている（図８参照）。
【００１２】
隣接する手摺本体２のそれぞれが、隣接する支柱１Ａに固定した一対の手摺ブラケット２２で支持されて、各手摺本体２の隣接端どうしが連結キャップ６１と橋絡体６２で連結されている（図１３参照）。連結キャップ６１は、手摺本体２の隣接端に外嵌するキャップ枠６４と、手摺本体２の隣接端を隔てる隔壁６３とを備えている。連結キャップ６１と橋絡体６２には、互いに係合して連結キャップ６１と橋絡体６２の相対移動を阻止する凹凸係合体６７・６８が設けられている。橋絡体６２は、連結キャップ６１の外面を左右に跨ぐ状態で、隣接する手摺本体２の装着面１３に接合されて、連結ボルト６９で装着面１３に締結固定されている。
【００１３】
隣接する手摺本体２のそれぞれが、隣接する支柱１Ａに固定した一対の手摺ブラケット２２で支持されて、各手摺本体２の隣接端どうしが連結キャップ６１とステー２４で連結されている（図１５参照）。連結キャップ６１は、手摺本体２の隣接端に外嵌するキャップ枠６４と、手摺本体２の隣接端を隔てる隔壁６３を備えている。ステー２４の締結座３５に左右横長のねじ挿通溝５６が形成されている。ねじ挿通溝５６に挿通した連結ボルト６９を装着面１３にねじ込んで、隣接する手摺本体２がステー２４で連結されている。
【００１４】
ブラケットベース２３は、取付け対象１である支柱１Ａの周面の前後に接合される一対の連結リング２７と、これら両リング２７を締結固定するリング締結体２８とを備えている（図１６参照）。支柱１Ａの前側の連結リング２７に設けた第１連結体４１に、前側のステー２４の第２連結体４２が連結固定され、支柱１Ａの後側の連結リング２７に設けた第１連結体４１に、後側のステー２４の第２連結体４２が連結固定されている。支柱１Ａの前側の左右一対のステー２４に前側の手摺本体２が固定され、支柱１Ａの後側の左右一対のステー２４に後側の手摺本体２が固定されている。
【発明の効果】
【００１５】
本発明の手摺構造は、板状の手摺本体２に固定されるステー２４と、例えば支柱１Ａに固定されるブラケットベース２３で手摺ブラケット２２を構成し、ステー２４に設けた第２連結体４２を、ブラケットベース２３に設けた第１連結体４１に係合装着して、手摺本体２をブラケットベース２３で支持するようにした。また、第２連結体４２の第１連結体４１に対する連結姿勢を手摺態様と腕支持態様に切換えできるようにし、各態様におけるステー２４をステー締結体４３でブラケットベース２３に固定できるようにした。
【００１６】
こうした手摺構造によれば、使用者の身体状況や好みに応じて手摺本体２の使用態様を手摺態様と腕支持態様に切換えて、使用者の利便性を向上することができる。また、各使用態様においては、第１連結体４１と第２連結体４２が互いに係合し、さらにステー２４がステー締結体４３で確りとブラケットベース２３に締結固定されるので、使用時の手摺本体２がぐら付く余地がなく、常に安定した状態で使用者の歩行や起立動作、あるいは腰掛動作などを補助できる。従って、本発明の手摺構造によれば、手摺態様または腕支持態様にした手摺本体２をがたつきのない状態で確りと固定支持して使用時の安全性を向上できる。また、手摺本体２が隣接する支柱１Ａで支持されている場合には、手摺本体２を部屋の中央のベッド脇や、ベッドと部屋の出入り口の間など、任意の位置に設置できるので、使用者の利便性を向上できる。
【００１７】
ブラケットベース２３は接合リング２６および連結リング２７と、リング締結体２８を備えるものとした。こうした手摺構造によれば、接合リング２６および連結リング２７を支柱１Ａの周面に接合し、高さを調整した状態で、両リング２６・２７をリング締結体２８で締結するだけで、ブラケットベース２３を簡単に支柱１Ａに固定できる。第１連結体４１は２等辺直角三角形状のソケット部４４と、４５度傾く固定接合座４５と、ソケット部４４の内面に形成した一対の固定係合体４６などで構成した。さらに、第２連結体４２は、４５度傾く切換え接合座４８と、ソケット部４４に内嵌係合する２等辺直角三角形状のプラグ部４９と、先の固定係合体４６に係脱する一対の切換え係合体５１などで構成するようにした。こうした手摺構造によれば、プラグ部４９とソケット部４４、および切換え係合体５１と固定係合体４６がそれぞれ係合する状態で、ステー２４を連結リング２７に連結し、ステー締結体４３用をねじ込むことにより固定接合座４５と切換え接合座４８とを密着させて、ステー２４を連結リング２７に強固に締結固定できる。従って、使用者が手摺本体２にもたれ掛かって、ステー２４と連結リング２７の連結部分に大きな傾動モーメントが作用するような場合でも、手摺本体２がぐら付くのを確実に防止でき、従来の手摺構造に比べて、さらに安定した状態で使用者の歩行や起立動作、あるいは腰掛動作などを補助できる。また、ステー２４の連結リング２７に対する組付け姿勢を９０度変更するだけで、手摺本体２を手摺態様と腕支持態様に切換えることができるので、態様変更に要する手間を省くことができる。
【００１８】
プラグ部４９の等辺部のそれぞれに雌ねじ体５０を埋設固定し、ステー締結体４３をソケット部４４の底壁から雌ねじ体５０にねじ込んで、プラグ部４９をソケット部４４に分離不能に締結固定するようにした。こうした手摺構造によれば、手摺本体２が手摺態様で支持される場合と、腕支持態様で支持される場合の、いずれの場合でもステー締結体４３を共通して使用できるので、プラグ部４９とソケット部４４の締結構造を簡素化して、手摺構造の製造コストを削減できる。因みに、雌ねじ体５０がプラグ部４９の等辺部ではない個所に設ける場合には、例えば切換え係合体５１の形成個所を避ける必要があるなどの制約を受けるため、連結構造が大形化するのを避けられない。
【００１９】
プラグ部４９をステー締結体４３でソケット部４４に締結固定した状態において、切換え接合座４８に設けた一方の規制爪５２を固定接合座４５の上端の規制溝５３と係合させるようにした。こうした手摺構造によれば、一方の規制爪５２が規制溝５３と係合して、ステー２４に作用する傾動モーメントをステー締結体４３と協同して受止めるので、ステー２４と連結リング２７の連結強度をさらに強化できる。
【００２０】
ステー２４は、締結座３５と周枠部３６とで開口面３７を備えた中空枠体状に形成し、開口面３７を着脱可能なカバー３９で塞ぐようにした。こうした手摺構造によれば、カバー３９を取外すことにより、締結座３５を開口面３７の側からねじ込み操作される調整ねじ体５８で手摺本体２に簡単に締結固定できるので、ステー２４の手摺本体２に対する組付け作業を迅速にしかも簡便に行える。また、手摺本体２を使用する場合には、カバー３９をステー２４に装着して、ステー２４の開口面３７をカバー３９で塞ぐことにより、調整ボルト５８の操作頭部が視認されるのを解消できるので、とくに手摺本体２が手摺態様で支持されている場合のステー２５の外観をすっきりさせることができる。また、誤って使用者の手や腕がステー２５に接触することがあったとしても、開口面３７はカバー３９で塞がれているので、手や指が周枠部３６の開口縁に引っ掛かるのを防止して、使用時の安全性を向上できる。
【００２１】
調整ねじ体５８に対して相対移動可能なねじ挿通溝５６が締結座３５に左右横長に形成されていると、隣接する支柱１Ａ・１Ａの支柱中心軸の間隔が目標寸法に対してばらついている場合でも、手摺本体２および調整ボルト５８をねじ挿通溝５６に沿って移動させて、先のばらつきを吸収することができる。従って、支柱１Ａに対する手摺本体２の組付け作業を簡便に行うことができる。
【００２２】
隣接する手摺本体２の隣接端どうしを連結キャップ６１と橋絡体６２で連結するようにした。また、連結キャップ６１と橋絡体６２は、互いに相対移動を阻止する凹凸係合体６７・６８で係合連結し、連結キャップ６１の外面を左右に跨ぐ橋絡体６２を、連結ボルト６９で手摺本体２の装着面１３に締結固定するようにした。こうした手摺構造によれば、各手摺本体２が複数の支柱１Ａで独立して支持されている場合に比べて、隣接する手摺本体２を一体化して手摺構造全体の構造強度を増強できるうえ、手摺構造の構造強度が増強される分だけ安全性を向上できる。また、隣接する手摺本体２の隣接端が、隣接距離が小さな２本の支柱１Ａ・１で支持されるので、連結部分の連結強度を向上して、各手摺本体２・２を確りと支持できる。
【００２３】
隣接する手摺本体２の隣接端どうしを連結キャップ６１とステー２４で連結するようにした。詳しくは、ステー２４の締結座３５に形成した左右横長のねじ挿通溝５６に挿通した連結ボルト６９を装着面１３にねじ込んで、隣接する手摺本体２をステー２４で連結するようにした。こうした手摺構造によれば、例えば隣接する２個の手摺本体２を３個の支柱１Ａで支持できるので、支柱１Ａの使用個数が少ない分だけ手摺構造の全体コストを削減できる。とくに、多数個の手摺本体２を長い廊下の壁面に沿って配置するような場合には、最小限の支柱１Ａで手摺本体２の一群を支持して、手摺構造の構築に要する全体コストを削減できる。
【００２４】
一対の連結リング２７・２７を支柱１Ａの周面の前後に接合して、これら両リング２７・２７をリング締結体２８で締結固定し、各リング２７・２７でステー２４および手摺本体２を支持するようにした。こうした手摺構造によれば、支柱１Ａの前後に手摺本体２を配置して、使用者の身体状況や体調状況などに応じて手摺本体２を使い分けることができるので、手摺構造の使い勝手を向上できる。また、前側の手摺本体２と後側の手摺本体２の支持態様を、手摺態様と腕支持態様に異ならせ、あるいは同じ支持態様であっても手摺本体２の支持高さを異ならせるなどにより、理学療法にマッチした、手摺を利用したリハビリテーションを多様に行える。
【図面の簡単な説明】
【００２５】
【図１】本発明の実施例１に係る手摺構造を示す分解側面図である。
【図２】実施例１に係る手摺構造の施工例を示す正面図である。
【図３】図２におけるＡ−Ａ線断面図である。
【図４】手摺本体の要部の分解正面図である。
【図５】手摺本体にエンドキャップを装着した断面図である。
【図６】手摺ブラケットの分解斜視図である。
【図７】図３におけるＢ−Ｂ線断面図である。
【図８】図７におけるＣ−Ｃ線断面図である。
【図９】図３におけるＤ−Ｄ線断面図である。
【図１０】手摺本体の別の使用形態を示す側面図である。
【図１１】実施例２に係る手摺構造を示す正面図である。
【図１２】手摺本体の接続構造を示す縦断側面図である。
【図１３】図１２におけるＥ−Ｅ線断面図である。
【図１４】実施例３に係る手摺構造を示す正面図である。
【図１５】図１４におけるＧ−Ｇ線断面図である。
【図１６】実施例４に係る手摺構造を示す側面図である。
【図１７】図１６におけるＨ−Ｈ線断面図である。
【図１８】実施例５に係る手摺構造の側面図である。
【発明を実施するための形態】
【００２６】
（実施例１）  図１から図１０に本発明に係る手摺構造の実施例１を示す。本発明における前後、左右、上下とは、図２、図３に示す交差矢印と、交差矢印の近傍の前後・左右・上下の表記に従う。この実施例では、突っ張り固定型の左右一対の支柱１Ａ（取付け対象１）に固定した手摺ブラケット２２で、手摺本体２が支持されている場合について説明する。支柱１Ａは、入子構造の上枠体３および下枠体４と、下枠体４から抜出した上枠体３を、下枠体４に対して上下動不能にロック固定するロック機構５とを備えている。上枠体３の上端には天井Ｒに接当する天井押上体６が設けられており、下枠体４の下端には床面Ｆに接当する接床体７が設けられている。上枠体３は、ステンレス製の丸パイプで形成されており、下枠体４は周面がプラスチック被覆材で覆われた高強度アルミニウム合金製の丸パイプで形成されている。ロック機構５のロックレバー５ａを水平姿勢にして、直径が小さな上枠体３を直径が大きな下枠体４から引出し、天井押上体６を天井Ｒと正対させた状態で、ロックレバー５ａを図２に示す垂直姿勢に回動させることにより、上枠体３をロック固定して、支柱１Ａを天井Ｒと床面Ｆの間に突っ張り固定することができる。
【００２７】
図３において手摺本体２は、半円状に湾曲形成されて使用者の手で握持される上端のグリップ面１０と、面状に形成されて使用者の掌や前腕部などを支持する平坦な腕支持面１１と、グリップ面１０と対向する端縁において半円状に湾曲形成される指掛け面１２と、腕支持面１１と対向する装着面１３などで左右に長い板状に形成してある。装着面１３の長手方向の両端寄りには、後述するステー２４を締結するための４個の鬼目ナット（雌ねじ体）１４と、後述するエンドキャップ１６を締結するための４個の鬼目ナット（雌ねじ体）１５が埋設固定してある。前者の鬼目ナット１４の左右間隔は、後者の鬼目ナット１５の左右間隔より小さい。
【００２８】
手摺本体２が左右の支柱１Ａと直交し、しかも腕支持面１１が垂直に支持された場合の手摺本体２の外形寸法は、隣接する支柱１Ａの左右間隔が９００ｍｍであるとき、左右幅が１２１４ｍｍ、上下幅が１６４ｍｍ、グリップ面１０の前後厚みが４８ｍｍである。指掛け面１２の半径は、グリップ面１０の半径より小さく設定されており、腕支持面１１と装着面１３の間の厚みは、指掛け面１２の直径より小さく設定されている。手摺本体２の全体は集成材で形成されて、その両側端にエンドキャップ１６が装着されている。
【００２９】
図４および図５に示すように、エンドキャップ１６は、手摺本体２に外嵌するキャップ部１７と、先の装着面１３に臨むキャップ部１７の周縁から連出されるキャップ締結座１８を一体に備えたプラスチック成形品からなる。キャップ締結座１８に挿通した１個のキャップ締結ボルト（キャップ締結体）１９を先の鬼目ナット１５にねじ込むことにより、エンドキャップ１６を手摺本体２と一体化することができる。
【００３０】
板状の手摺本体２を隣接する支柱１Ａに固定するために、各支柱１Ａに手摺ブラケット２２が装着されている。手摺ブラケット２２は、各支柱１Ａに装着されるブラケットベース２３と、手摺本体２の装着面１３に固定されるステー２４とで構成されており、これら両者２３・２４の間に、ステー２４をブラケットベース２３と一体化するための連結構造が設けられている。ブラケットベース２３は、下枠体４（支柱１Ａ）の周面の前後に接合される接合リング２６および連結リング２７と、これら両リング２６・２７を締結固定するリングボルト（リング締結体）２８とを備えている。
【００３１】
図６に示すように接合リング２６は、断面が半円状のクランプ体からなり、その連結リング２７との接合面の左右にリングボルト２８用の締結ボス２９が膨出形成されている。連結リング２７は断面が半円状のクランプ体と、クランプ体の前面に設けた第１連結体４１とを一体に備えている。クランプ体の接合リング２６との接合面の左右には、リングボルト２８用の締結ボス３０が膨出形成され、締結ボス３０の前側にインサートナット（ねじ体）３１が埋設された雌ねじブロック３２が設けられている（図８参照）。雌ねじブロック３２の内面の上下には、弾性係合爪３３が一体に設けられており、この弾性係合爪３３を締結ボス３０の側に設けた段部３４に係合することにより、雌ねじブロック３２を締結ボス３０と一体化することができる。
【００３２】
ステー２４は、手摺本体２の装着面１３に接合される締結座３５と、締結座３５の周囲を囲む側面視が三角形の周枠部３６とで、開口面３７を備えた中空枠体状に形成されており、締結座３５の下側に指掛け面１２を支持する凹部３８が形成されて、凹部３８の後側に第２連結体４２が設けてある。開口面３７は着脱可能なカバー３９で塞がれている。
【００３３】
先に述べた連結構造は連結リング２７側の第１連結体４１と、同第１連結体４１に対して係脱されるステー２４側の第２連結体４２と、ステー２４を連結リング２７に締結固定するステーボルト（ステー締結体）４３とを備えている。第１連結体４１は、第２連結体４２が内嵌係合される２等辺直角三角形状のソケット部４４を備えており、ソケット部４４の前開口縁に、垂直面に対して４５度傾く固定接合座４５が四角枠状に形成され、ソケット部４４の内面の左右壁に一対のリブ状の固定係合体４６が形成されている。また、ソケット部４４の底壁にはステーボルト４３用の挿通穴４７が形成されている。
【００３４】
第２連結体４２は、垂直面に対して４５度傾く切換え接合座４８と、ソケット部４４に内嵌係合する２等辺直角三角形状のプラグ部４９とを備えている。また、プラグ部４９の各等辺部面の左右中央には、ステーボルト４３用のインサートナット（雌ねじ体）５０が埋設固定されており、プラグ部４９の２等辺直角三角形状の左右壁には、先の固定係合体４６に係脱する一対の切換え係合溝（切換え係合体）５１が、等辺部から底辺部にわたって互いに直交する状態で凹み形成されている。先の切換え接合座４８は第１連結体４１の固定接合座４５に対応して形成されている。
【００３５】
ステー２４の締結座３５が垂直面に沿う状態で、プラグ部４９をソケット部４４に内嵌しながら、切換え係合溝５１を固定係合体４６に係合させて、切換え接合座４８を固定接合座４５に密着させることにより、ステー２４を連結リング２７と一体化することができる。また、この状態でステーボルト４３をソケット部４４の下方からインサートナット５０にねじ込むことにより、ステー２４を連結リング２７に分離不能に締結固定することができる。
【００３６】
ステー２４と連結リング２７の連結強度をさらに強化するために、プラグ部４９の等辺部に隣接する接合座４８に、等辺部と平行な一対の規制爪５２を突設し、ソケット部４４の固定接合座４５の上端に、規制爪５２と係合する規制溝５３を形成している。また、固定接合座４５の下端には規制爪５２を収容する逃げ溝を形成している。プラグ部４９をステーボルト４３でソケット部４４に締結固定した状態では、一方の規制爪５２が規制溝５３と係合して、ステー２４に作用する傾動モーメントをステーボルト４３と協同して受止めるので、ステー２４と連結リング２７の連結強度をさらに強化できる。
【００３７】
隣接する各支柱１Ａ・１Ａは、支柱中心軸の間隔が９００ｍｍになることを目標値として設置するが、実際には設置後の各支柱１Ａ・１Ａの中心軸の間隔は、目標値に対して大小にばらつくことのほうが多い。こうした場合に対応するために、ステー２４を手摺本体２に対して左右調整可能に締結固定できるようにしている。詳しくは、図９に示すようにステー２４の締結座３５の内面に金属板製の補強板５４を配置して、締結座３５の前面からねじ込んだ皿ビス５５で固定し、締結座３５と補強板５４の上下に左右横長のねじ挿通溝５６・５７を形成して、同溝５６・５７に挿通した調整ボルト（調整ねじ体）５８を、手摺本体２の鬼目ナット１４にねじ込み固定している。このようにねじ挿通溝５６・５７が締結座３５と補強板５４に左右横長に形成されていると、隣接する支柱１Ａ・１Ａの支柱中心軸の間隔が目標寸法に対してばらついている場合でも、手摺本体２および調整ボルト５８をねじ挿通溝５６・５７に沿って移動させて、先のばらつきを吸収することができる。従って、支柱１Ａに対する手摺本体２の組付け作業を簡便に行える。この実施例では、各支柱１Ａ・１Ａの支柱中心軸の間隔のばらつきが８５０〜９５０ｍｍの範囲内であれば、間隔のばらつきをねじ挿通溝５６・５７で吸収できるようにした。なお、キャップ締結ボルト１９、リングボルト２８、ステーボルト４３、調整ボルト５８は、ねじ部の長さは異なるものの、いずれも呼び径が同じ（Ｍ６）六角穴付きボルトであるので、１種の六角棒レンチで全てのボルトを締緩操作することができる。
【００３８】
次に、手摺本体２の支柱１Ａに対する組付け手順を、グリップ面１０が上向きになる手摺態様で手摺本体２を使用する場合について説明する。一対の支柱１Ａ・１Ａは天井Ｒと床面Ｆの間に予め突っ張り固定されており、手摺本体２の両端にはエンドキャップ１６が装着されている。まず、ブラケットベース２３の接合リング２６と連結リング２７を各支柱１Ａの下枠体４の周面にあてがって、リングボルト２８を雌ねじブロック３２のインサートナット３１にねじ込んで、ブラケットベース２３を下枠体４に仮装着する。この状態で、ブラケットベース２３の床面からの高さを使用者に適合した高さに調整し、さらに連結リング２７のソケット部４４が下枠体４の真正面を指向するように、ブラケットベース２３の向きを調整して、接合リング２６と連結リング２７をリングボルト２８で締結固定する。次にカバー３９を取外した状態のステー２４を手摺本体２の装着面１３に接合して、調整ボルト５８を開口面３７の側からねじ挿通溝５６・５７に挿通し、鬼目ナット１４にねじ込み操作してステー２４と手摺本体２を仮組みする。このとき、カバー３９を取外すことにより、締結座３５を開口面３７の側からねじ込み操作される調整ねじ体５８で手摺本体２に簡単に締結固定できるので、ステー２４の手摺本体２に対する組付け作業を迅速にしかも簡便に行うことができる。
【００３９】
手摺本体２に仮組みしたステー２４を、各支柱１Ａに固定したブラケットベース２３の連結リング２７に対して上方から組付けて、第１連結体４１と第２連結体４２を連結する。詳しくは、切換え係合溝５１が固定係合体４６と係合する状態でプラグ部４９を押下げてソケット部４４に係合し、切換え接合座４８を固定接合座４５に接合する。この状態で、手摺本体２を左右にスライド操作して、各支柱１Ａと手摺本体２の左右位置を調整し、調整ボルト５８をねじ込んで手摺本体２を支柱１Ａに対して固定する。さらにステーボルト４３を連結リング２７の下面側からインサートナット５０にねじ込んで、ステー２４を連結リング２７に固定し、カバー３９をステー２４に装着して開口面３７を塞ぐ。
【００４０】
以上により、手摺態様にした手摺本体２を一対の支柱１Ａで支持できる。使用者は、腰部あるいは胴部を腕支持面１１にあてがった状態でグリップ面１０を掴みながら安定した状態で歩行できる。使用時には、カバー３９をステー２４に装着して、ステー２４の開口面３７をカバー３９で塞ぐので、調整ボルト５８の操作頭部が視認されるのを解消できるので、とくに手摺本体２が手摺態様で支持されている場合のステー２５の外観をすっきりさせることができる。また、誤って使用者の手や腕がステー２５に接触することがあったとしても、開口面３７はカバー３９で塞がれているので、手や指が周枠部３６の開口縁に引っ掛かるのを防止して、使用時の安全性を向上できる。
【００４１】
手摺本体２を腕支持面１１が上向きになる腕支持態様で使用する場合には、ブラケットベース２３の床面からの高さを使用者に適合した高さに調整したのち、図１０に示すように、ブラケットベース２３から分離した手摺本体２およびステー２４を反転させ、第２連結体４２の第１連結体４１に対する連結姿勢を９０度異ならせて、腕支持面１１を上向きにし、グリップ面１０を前向きにする。この状態で、ステー２４を各支柱１Ａに固定したブラケットベース２３の連結リング２７に対して上方から組付けて、先に説明したように第１連結体４１と第２連結体４２を連結する。さらに、ステーボルト４３を連結リング２７の下面側からインサートナット５０にねじ込んで、ステー２４を連結リング２７に固定する。手摺本体２を腕支持態様にした状態では、使用者は掌や前腕部などを腕支持面１１で支持して使用者の歩行を補助できる。また、ベッドの脇に手摺構造が設けてある場合には、ベッドに腰かけた状態から両手で指掛け面１２を掴んで立ち上がり、あるいは両手を指掛け面１２に掛けた状態で、起立した状態から腰掛けることができる。
【００４２】
上記のように構成した実施例１の手摺構造によれば、第２連結体４２の第１連結体４１に対する連結姿勢を９０度異ならせて、手摺本体２をグリップ面１０が上向きになる手摺態様と、腕支持面１１が上向きになる腕支持態様に切換えることができる。こうした手摺構造によれば、使用者の身体状況や好みに応じて手摺本体２の使用態様を手摺態様と腕支持態様に切換えることで、使用者の利便性を向上することができる。また各姿勢における手摺本体２は、プラグ部４９とソケット部４４が係合した状態で、ステー２４がステーボルト４３で確りとブラケットベース２３に締結固定されるので、使用時の手摺本体２がぐら付く余地がなく、常に安定した状態で使用者の歩行や起立動作、あるいは腰掛動作を補助できる。従って、実施例１の手摺構造によれば、手摺態様または腕支持態様にした手摺本体２をがたつきのない状態で確りと固定支持して使用時の安全性を向上でき、しかも手摺本体２を任意の設置場所に設置して、使用者の利便性を向上できる。また、ステーボルト４３を取り外して、ステー２４をブラケットベース２３から分離しない限りは、手摺本体２の姿勢を変えることができないので、使用途中に手摺本体２の姿勢が変わるおそれがなく、ハンドレール部材を垂直姿勢と水平姿勢に位置保持できる、従来の手摺構造に比べて安全を格段に向上できる。
【００４３】
（実施例２）  図１１から図１３に本発明に係る手摺構造の実施例２を示す。実施例２では、複数の隣接する手摺本体２を接続して連続させる場合の手摺構造を示している。隣接する手摺本体２のそれぞれは、隣接する左右一対ずつの支柱１Ａに固定した一対ずつの手摺ブラケット２２で支持されて、各手摺本体２の隣接端どうしを連結キャップ６１と橋絡体６２で分離不能に連結している。
【００４４】
連結キャップ６１は、左右中央に隣接する手摺本体２を隔てる隔壁６３を有し、隔壁６３の左右周縁に手摺本体２の端部に外嵌するキャップ枠６４が形成されている。橋絡体６２は、連結キャップ６１の後面を左右に跨ぐ皿状のプラスチック成形品からなり、その左右両側の上下に、手摺本体２の装着面１３に接合される合計４個の締結ボス６５を有し、左右中央に連結キャップ６１の後面に係合する係合枠６６が一体に形成されている。連結キャップ６１と橋絡体６２を相対移動不能に仮組み保持するために、連結キャップ６１の後面の左右に弾性係合爪（凹凸係合体）６７を設け、橋絡体６２の側に段部（凹凸係合体）６８を設けている。弾性係合爪６７を段部６８に係合した状態で、各締結ボス６５に挿通した４個の連結ボルト６９を鬼目ナット１５にねじ込むことにより、隣接する手摺本体２を橋絡体６２で一体化して直線列状に強固に連結することができる。他の構造については、実施例１の手摺構造と同じであるので、同じ部材に同じ符号を付して、その説明を省略する。以下の実施例においても同じとする。
【００４５】
上記のように、隣接する手摺本体２の隣接端どうしを連結キャップ６１と橋絡体６２で連結する手摺構造によれば、各手摺本体２が複数の支柱１Ａで独立して支持してある場合に比べて、隣接する手摺本体２を一体化して手摺構造全体の構造強度を増強できるうえ、手摺構造の構造強度が増強される分だけ安全性を向上できる。また、隣接する手摺本体２の隣接端が、隣接距離が小さな２本の支柱１Ａ・１Ａで支持されるので、連結部分の連結強度を向上して、各手摺本体２・２を確りと支持できる。
【００４６】
（実施例３）  図１４および図１５は本発明に係る手摺構造の実施例３を示す。実施例３では、上記の橋絡体６２の代わりに、手摺本体２に固定したステー２４で隣接する手摺本体２を連結するようにした。詳しくは、ステー２４のねじ挿通溝５６・５７に挿通した連結ボルト６９を、手摺本体２の側端寄りの鬼目ナット１５にねじ込んで、隣接する手摺本体２をステー２４で連結するようにした。また、連結キャップ６１の弾性係合爪６７は、補強板５４のねじ挿通溝５７の後縁に係合させるようにした。実施例３の手摺構造によれば、例えば隣接する２個の手摺本体２を３個の支柱１Ａで支持できるので、支柱１Ａの使用個数が少ない分だけ手摺構造の全体コストを削減できる。とくに、多数個の手摺本体２を長い廊下の壁面に沿って配置するような場合には、最小限の支柱１Ａで手摺本体２の一群を支持して、手摺構造の構築に要する全体コストを削減できる。また、隣接する支柱１Ａの間隔は、実施例１および実施例２で説明した手摺構造の支柱１Ａの隣接間隔より大きくすることができる。
【００４７】
（実施例４）  図１６および図１７は本発明に係る手摺構造の実施例４を示す。実施例４では、支柱１Ａの前後に一対の連結リング２７を固定して、前側の連結リング２７に手摺態様の手摺本体２のステー２４を連結し、後側の連結リング２７に腕支持態様の手摺本体２のステー２４を連結するようにした。前後の連結リング２７は、後側の連結リング２７の締結ボス３０に挿通したリングボルト２８を、前側の連結リング２７の雌ねじブロック３２にねじ込むことにより、前後の連結リング２７を支柱１Ａに固定できる。後側の連結リング２７の締結ボス３０の後開口は、雌ねじブロック３２と同じ構造でインサートナットが省略されたキャップ７２で塞がれている。キャップ７２には雌ねじブロック３２と同じ弾性係合爪７３が形成されている。
【００４８】
こうした手摺構造によれば、支柱１Ａの前後に手摺本体２を配置して、使用者の身体状況や体調状況などに応じて手摺本体２を使い分けることができるので、手摺構造の使い勝手を向上できる。また、前側の手摺本体２と後側の手摺本体２の支持態様を、手摺態様と腕支持態様に異ならせ、あるいは同じ支持態様であっても手摺本体２の支持高さを異ならせるなどにより、理学療法にマッチした、手摺を利用したリハビリテーションを多様に行うことができる。
【００４９】
（実施例５）  図１８は本発明に係る手摺構造の実施例５を示す。実施例５では、手摺本体２およびステー２４を、壁面１Ｂ（取付け対象１）に固定した連結リング２７で支持するようにした。そのために、連結リング２７の左右に壁用締結座７５を設け、壁用締結座７５に挿通したビス７６を壁面１Ｂにねじ込んで、連結リング２７を壁面１Ｂに固定するようにした。実施例５の手摺構造においても、実施例１の手摺構造と同様に、手摺本体２を実線で示す手摺態様と、想像線で示す腕支持態様に付換えることができる。
【００５０】
上記の実施例では、手摺本体２をステー２４で水平に支持したが、必要があれば手摺本体２はステー２４で斜めに支持することができる。その場合には、例えば連結リング２７を、断面が半円状のクランプ体と第１連結体４１で形成し、第１連結体４１をクランプ体で左右傾動可能に支持するとよい。ステーボルト４３は、ソケット部４４の底壁からねじ込み操作するのが良いが、必要があればステー２４にインサートナット５０を水平に埋設して、ステー２４の側外方からステーボルト４３をねじ込み操作して、ステー２４を連結リング２７に締結固定することができる。腕支持面１１は内凹み状の緩やかな湾曲面で形成してあってもよい。
【符号の説明】
【００５１】
１  取付け対象
１Ａ  支柱
１Ｂ  壁面
２  手摺本体
１０  グリップ面
１１  腕支持面
１３  装着面
１６  エンドキャップ
２２  手摺ブラケット
２３  ブラケットベース
２４  ステー
２６  接合リング
２７  連結リング
２８  リング締結体（リングボルト）
３５  締結座
４１  第１連結体
４２  第２連結体
４３  ステー締結体（ステーボルト）
４４  ソケット部
４５  固定接合座
４６  固定係合体
４８  切換え接合座
４９  プラグ部
５１  切換え係合体（切換え係合溝）
５６  ねじ挿通溝
５８  調整ボルト
６１  連結キャップ
６２  橋絡体
６９  連結ボルト
【図１】
2020007854.tif 000003
【図２】
2020007854.tif 000004
【図３】
2020007854.tif 000005
【図４】
2020007854.tif 000006
【図５】
2020007854.tif 000007
【図６】
2020007854.tif 000008
【図７】
2020007854.tif 000009
【図８】
2020007854.tif 000010
【図９】
2020007854.tif 000011
【図１０】
2020007854.tif 000012
【図１１】
2020007854.tif 000013
【図１２】
2020007854.tif 000014
【図１３】
2020007854.tif 000015
【図１４】
2020007854.tif 000016
【図１５】
2020007854.tif 000017
【図１６】
2020007854.tif 000018
【図１７】
2020007854.tif 000019
【図１８】
2020007854.tif 000020
【手続補正書】
【提出日】令和1年9月20日(2019.9.20)
【手続補正１】
【補正対象書類名】明細書
【補正対象項目名】０００６
【補正方法】変更
【補正の内容】
【０００６】
本発明の手摺構造は、板状の手摺本体２と、取付け対象１に固定されて手摺本体２を支持する複数の手摺ブラケット２２とを備えている。図３に示すように手摺本体２は、半円状に湾曲形成されて使用者の手で握持されるグリップ面１０と、面状に形成されて使用者の掌、前腕部などを支持する腕支持面１１と、手摺ブラケット２２で支持される装着面１３とを備えている。図６に示すように手摺ブラケット２２は、取付け対象１に固定されるブラケットベース２３と、手摺本体２の装着面１３に固定されてブラケットベース２３に対して着脱されるステー２４とを備えている。ブラケットベース２３とステー２４は連結構造を介して連結固定されている。連結構造は、ブラケットベース２３に設けた第１連結体４１と、ステー２４に設けられて第１連結体４１に対して係脱される第２連結体４２と、ステー２４をブラケットベース２３に締結固定するステー締結体４３とを備えている。第２連結体４２と第１連結体４１とが、手摺本体２のグリップ面１０が上向きになる手摺態様（図３参照）と、手摺本体２の腕支持面１１が上向きになる腕支持態様（図１０参照）とに連結姿勢を切換えできるように構成されている。第１連結体４１は、断面が２等辺直角三角形状の凹部からなるソケット部４４と、ソケット部４４の開口縁に形成される固定接合座４５と、ソケット部４４の内面に設けた固定係合体４６とを備えている。第２連結体４２は、断面が２等辺直角三角形状の凸部からなるプラグ部４９と、プラグ部４９の基端周縁に形成される切換え接合座４８と、プラグ部４９の外面に互いに直交する状態で形成されて、固定係合体４６に対して係脱する一対の切換え係合体５１とを備えている。
【手続補正２】
【補正対象書類名】明細書
【補正対象項目名】０００７
【補正方法】削除
【補正の内容】
【手続補正３】
【補正対象書類名】明細書
【補正対象項目名】００１２
【補正方法】変更
【補正の内容】
【００１２】
ブラケットベース２３は、取付け対象１の支柱１Ａの周面に接合される接合リング２６および連結リング２７と、これら両リング２６・２７を締結固定するリング締結体２８とを備えている。隣接する手摺本体２のそれぞれが、隣接する支柱１Ａに固定した一対の手摺ブラケット２２で支持されて、各手摺本体２の隣接端どうしが連結キャップ６１と橋絡体６２で連結されている（図１３参照）。連結キャップ６１は、手摺本体２の隣接端に外嵌するキャップ枠６４と、手摺本体２の隣接端を隔てる隔壁６３とを備えている。連結キャップ６１と橋絡体６２には、互いに係合して連結キャップ６１と橋絡体６２の相対移動を阻止する凹凸係合体６７・６８が設けられている。橋絡体６２は、連結キャップ６１の外面を左右に跨ぐ状態で、隣接する手摺本体２の装着面１３に接合されて、連結ボルト６９で装着面１３に締結固定されている。
【手続補正４】
【補正対象書類名】明細書
【補正対象項目名】００１３
【補正方法】変更
【補正の内容】
【００１３】
ブラケットベース２３は、取付け対象１の支柱１Ａの周面に接合される接合リング２６および連結リング２７と、これら両リング２６・２７を締結固定するリング締結体２８とを備えている。隣接する手摺本体２のそれぞれが、隣接する支柱１Ａに固定した一対の手摺ブラケット２２で支持されて、各手摺本体２の隣接端どうしが連結キャップ６１とステー２４で連結されている（図１５参照）。連結キャップ６１は、手摺本体２の隣接端に外嵌するキャップ枠６４と、手摺本体２の隣接端を隔てる隔壁６３を備えている。ステー２４の締結座３５に左右横長のねじ挿通溝５６が形成されている。ねじ挿通溝５６に挿通した連結ボルト６９を装着面１３にねじ込んで、隣接する手摺本体２がステー２４で連結されている。
【手続補正５】
【補正対象書類名】特許請求の範囲
【補正対象項目名】全文
【補正方法】変更
【補正の内容】
【特許請求の範囲】
【請求項１】
板状の手摺本体（２）と、取付け対象（１）に固定されて手摺本体（２）を支持する複数の手摺ブラケット（２２）とを備えており、
手摺本体（２）は、半円状に湾曲形成されて使用者の手で握持されるグリップ面（１０）と、面状に形成されて使用者の掌、前腕部などを支持する腕支持面（１１）と、手摺ブラケット（２２）で支持される装着面（１３）とを備えており、
手摺ブラケット（２２）は、取付け対象（１）に固定されるブラケットベース（２３）と、手摺本体（２）の装着面（１３）に固定されてブラケットベース（２３）に対して着脱されるステー（２４）とを備えており、
ブラケットベース（２３）とステー（２４）は連結構造を介して連結固定されており、
連結構造が、ブラケットベース（２３）に設けた第１連結体（４１）と、ステー（２４）に設けられて第１連結体（４１）に対して係脱される第２連結体（４２）と、ステー（２４）をブラケットベース（２３）に締結固定するステー締結体（４３）とを備えており、
第２連結体（４２）と第１連結体（４１）とが、手摺本体（２）のグリップ面（１０）が上向きになる手摺態様と、手摺本体（２）の腕支持面（１１）が上向きになる腕支持態様とに連結姿勢を切換えできるように構成されており、
第１連結体（４１）は、断面が２等辺直角三角形状の凹部からなるソケット部（４４）と、ソケット部（４４）の開口縁に形成される固定接合座（４５）と、ソケット部（４４）の内面に設けた固定係合体（４６）とを備えており、
第２連結体（４２）は、断面が２等辺直角三角形状の凸部からなるプラグ部（４９）と、プラグ部（４９）の基端周縁に形成される切換え接合座（４８）と、プラグ部（４９）の外面に互いに直交する状態で形成されて、固定係合体（４６）に対して係脱する一対の切換え係合体（５１）とを備えていることを特徴とする手摺構造。
【請求項２】
プラグ部（４９）の等辺部のそれぞれに雌ねじ体（５０）が埋設固定されており、
ステー締結体（４３）が、ソケット部（４４）の底壁から雌ねじ体（５０）にねじ込まれて、プラグ部（４９）がソケット部（４４）に分離不能に締結固定されている請求項１に記載の手摺構造。
【請求項３】
プラグ部（４９）の等辺部に隣接する切換え接合座（４８）に、等辺部と平行な一対の規制爪（５２）が突設されており、
ソケット部（４４）の固定接合座（４５）の上端に、規制爪（５２）と係合する規制溝（５３）が形成されており、
プラグ部（４９）をステー締結体（４３）でソケット部（４４）に締結固定した状態において、一方の規制爪（５２）が規制溝（５３）と係合している請求項１または２に記載の手摺構造。
【請求項４】
ステー（２４）が、手摺本体（２）の装着面（１３）に接合される締結座（３５）と、締結座（３５）の周囲を囲む周枠部（３６）とで、開口面（３７）を備えた中空枠体状に形成されており、
締結座（３５）は、前記開口面（３７）の側からねじ込み操作される調整ねじ体（５８）で、手摺本体（２）の装着面（１３）に締結固定されており、
前記開口面（３７）が着脱可能なカバー（３９）で塞がれている請求項１から３のいずれかひとつに記載の手摺構造。
【請求項５】
締結座（３５）に調整ねじ体（５８）に対して相対移動可能なねじ挿通溝（５６）が左右横長に形成されている請求項４に記載の手摺構造。
【請求項６】
ブラケットベース（２３）が、取付け対象（１）の支柱（１Ａ）の周面に接合される接合リング（２６）および連結リング（２７）と、両リング（２６・２７）を締結固定するリング締結体（２８）とを備えており、
隣接する手摺本体（２）のそれぞれが、隣接する支柱（１Ａ）に固定した一対の手摺ブラケット（２２）で支持されて、各手摺本体（２）の隣接端どうしが連結キャップ（６１）と橋絡体（６２）で連結されており、
連結キャップ（６１）は、手摺本体（２）の隣接端に外嵌するキャップ枠（６４）と、手摺本体（２）の隣接端を隔てる隔壁（６３）とを備えており、
連結キャップ（６１）と橋絡体（６２）には、互いに係合して連結キャップ（６１）と橋絡体（６２）の相対移動を阻止する凹凸係合体（６７・６８）が設けられており、
橋絡体（６２）は、連結キャップ（６１）の外面を左右に跨ぐ状態で、隣接する手摺本体（２）の装着面（１３）に接合されて、連結ボルト（６９）で装着面（１３）に締結固定されている請求項１から５のいずれかひとつに記載の手摺構造。
【請求項７】
ブラケットベース（２３）が、取付け対象（１）の支柱（１Ａ）の周面に接合される接合リング（２６）および連結リング（２７）と、両リング（２６・２７）を締結固定するリング締結体（２８）とを備えており、
隣接する手摺本体（２）のそれぞれが、隣接する支柱（１Ａ）に固定した一対の手摺ブラケット（２２）で支持されて、各手摺本体（２）の隣接端どうしが連結キャップ（６１）とステー（２４）で連結されており、
連結キャップ（６１）は、手摺本体（２）の隣接端に外嵌するキャップ枠（６４）と、手摺本体（２）の隣接端を隔てる隔壁（６３）とを備えており、
ステー（２４）の締結座（３５）に左右横長のねじ挿通溝（５６）が形成されており、
ねじ挿通溝（５６）に挿通した連結ボルト（６９）を装着面（１３）にねじ込んで、隣接する手摺本体（２）がステー（２４）で連結されている請求項５に記載の手摺構造。
【請求項８】
ブラケットベース（２３）が、取付け対象（１）である支柱（１Ａ）の周面の前後に接合される一対の連結リング（２７）と、これら両リング（２７）を締結固定するリング締結体（２８）とを備えており、
支柱（１Ａ）の前側の連結リング（２７）に設けた第１連結体（４１）に、前側のステー（２４）の第２連結体（４２）が連結固定され、支柱（１Ａ）の後側の連結リング（２７）に設けた第１連結体（４１）に、後側のステー（２４）の第２連結体（４２）が連結固定されており、
支柱（１Ａ）の前側の左右一対のステー（２４）に前側の手摺本体（２）が固定され、支柱（１Ａ）の後側の左右一対のステー（２４）に後側の手摺本体（２）が固定されている請求項１に記載の手摺構造。